(57)【要約】【課題】フィルタを提供する。【解決手段】本発明によるフィルタは、フィラーと混合されたレジンが通過する管路に設けられ、管路の水平断面に相応する面積を有し、フィラーをフィルタリングする複数の開口部が形成されたプレートを含み、複数の開口部のそれぞれは互いに交差し、一方向に延長され、フィラーをフィルタリングするために設定された幅を有する第１開口領域及び第２開口領域を含むことを特徴とする。【選択図】図１
2014091120.tif 000002
【特許請求の範囲】
【請求項１】
フィラーと混合されたレジンが通過する管路に設けられるフィルタにおいて、
前記フィラーをフィルタリングする複数の開口部が形成されており、前記管路の延伸方向に垂直な面で切断した場合の断面に相応する面積を有するプレートを含み、
前記複数の開口部のそれぞれは、互いに交差し、一方向に延長され、前記フィラーのフィルタリングのために設定された幅を有する第１開口領域及び第２開口領域を含むことを特徴とするフィルタ。
【請求項２】
前記第１開口領域及び前記第２開口領域の交差する領域は、前記フィラーのフィルタリングのために設定された幅に相応する幅を有することを特徴とする請求項１に記載のフィルタ。
【請求項３】
前記第１開口領域及び前記第２開口領域が交差する地点のうちの二つの地点の間の距離は、前記フィラーのフィルタリングのために設定された幅に相応することを特徴とする請求項１又は２に記載のフィルタ。
【請求項４】
前記第１開口領域及び前記第２開口領域のそれぞれは、端部が曲面に形成されることを特徴とする請求項１から３のいずれか一項に記載のフィルタ。
【請求項５】
前記第１開口領域及び前記第２開口領域は、互いに直交することを特徴とする請求項１から４のいずれか一項に記載のフィルタ。
【発明の詳細な説明】
【技術分野】
【０００１】
本発明は、フィルタに関する。
【背景技術】
【０００２】
近年、電子機器の高性能化及び小型化により信号伝達速度の向上された薄型のパッケージ基板が必要となった。このような市場の要求を満足させるための印刷回路基板は、工程中やパッケージングプロセス中に生じる反りが少なくなければならない。印刷回路基板に生じる反り現象は、定められた構造における資材と資材の間の熱膨脹係数（ＣＴＥ）の不適合が主な原因である。熱膨脹係数の不適合を低減するためには、銅以外のビルドアップ資材の熱膨脹係数を低くすることが必要であり、このための研究が活発に行われている。
【０００３】
実際に、このようなビルドアップ資材としては、レジンとフィラーとの混合材を選択し、混合材中のフィラーの量または特性を制御することにより、混合材を用いたビルドアップ材料の特性を実現することができる。ビルドアップ資材は、レジンとフィラーとを混合する混合工程と分散及びコーティング作業により製品化されるが、コーティング前に、フィラーのサイズが製品の品質に影響を与えるため、球状フィラーのフィルタリング工程を行う。
【０００４】
フィルタリング工程としては、定められた数値のバックフィルタタイプが採用されたり、優れたフィルタリングのためにカートリッジ型フィルタシステムが採用されたりする。バックフィルタの場合は、縦糸と横糸とで織造された網構造となっている。この網構造のフィルタは、球状フィラーが混合された高粘度のレジンをフィルタリングするのに高い負荷がかかってフィルタリングの時間が長くなる。
【先行技術文献】
【特許文献】
【０００５】
【特許文献１】韓国公開特許２０１２−００７０９８０号公報
【発明の概要】
【発明が解決しようとする課題】
【０００６】
本発明の目的は、織造構造を変更することにより、フィルタリングの負荷を軽減させ、フィルタリングの精密度を維持できるフィルタを提供することにある。
【課題を解決するための手段】
【０００７】
本発明の一実施例に係るフィルタは、フィラーと混合されたレジンが通過する管路に設けられ、管路の水平断面に相応する面積を有し、フィラーをフィルタリングする複数の開口部が形成されたプレートを含み、複数の開口部のそれぞれは、互いに交差し、一方向に延長され、フィラーのフィルタリングのために設定された幅を有する第１開口領域及び第２開口領域を含む。
【０００８】
本発明の一実施例によれば、第１開口領域及び第２開口領域が互いに交差する領域は、フィラーのフィルタリングのために設定された幅に相応する幅を有することができる。本発明の一実施例によれば、第１開口領域及び第２開口領域が交差する地点のうちの二つの地点の間の距離は、フィラーのフィルタリングのために設定された幅に相応することができる。
【０００９】
本発明の一実施例によれば、第１開口領域及び第２開口領域のそれぞれは、端部が曲面状であってもよい。本発明の一実施例によれば、第１開口領域及び第２開口領域は、互いに直交することができる。
【発明の効果】
【００１０】
本発明の一実施例に係るフィルタは、開口部の開口領域が、設定された幅を有するように形成されることにより、フィルタリングの精密度を維持することができる。また、本発明の一実施例に係るフィルタは、網方式の網目よりも開口部の開口領域を広くして、フィルタリングの負荷を軽減し、フィルタリングの時間を低減することができる。
【図面の簡単な説明】
【００１１】
【図１】本発明の一実施例に係るフィルタの設置形態を示す図面である。
【図２】本発明の一実施例に係るフィルタを示す平面図である。
【図３】本発明の一実施例に係るフィルタの開口部の構造を示す平面図である。
【図４】本発明の他の実施例に係るフィルタの開口部の構造を示す平面図である。
【発明を実施するための形態】
【００１２】
本発明は多様な変換を加えることができ、様々な実施例を有することができるため、特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。本発明を説明するに当たって、係る公知技術に対する具体的な説明が本発明の要旨をかえって不明にすると判断される場合、その詳細な説明を省略する。
【００１３】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は、明細書上に記載された特徴、数字、工程、動作、構成要素、部品またはこれらを組み合わせたものの存在を指定するものであって、一つまたはそれ以上の他の特徴や数字、工程、動作、構成要素、部品またはこれらを組み合わせたものの存在または付加可能性を予め排除するものではないと理解しなくてはならない。
【００１４】
以下では、添付した図１から図４に基づいて、本発明の一実施例に係るフィルタについて詳細に説明する。図１は、本発明の一実施例に係るフィルタの設置形態を示す図面である。図２は、本発明の一実施例に係るフィルタを示す平面図である。
【００１５】
図１及び図２を参照すると、本発明の一実施例に係るフィルタ１００は、球状のフィラー６０と混合されたレジン７０が通過する管路５０に設けられる。ここで、フィラー６０及びレジン７０は、以前工程の混合装置、分散装置、脱泡装置を経て管路５０に流入されることができる。
【００１６】
具体的にフィルタ１００は、プレート１１０及び複数の開口部１５０を含む。プレート１１０は、管路５０の水平断面に相応する面積を有する。本実施形態において、管路５０の水平断面とは、管路５０の延伸方向に垂直な方向で切断した場合の断面の一例である。さらに、プレート１１０は、フィラー６０及びレジン７０が通過する複数の開口部１５０を含む。プレート１１０の面積は、複数の開口部１５０の面積を含む。このために、プレート１１０は、開口部１５０が形成できるように設定された厚さに形成される。
【００１７】
複数の開口部１５０は、フィラー６０及びレジン７０が通過するように、プレート１１０に形成される。複数の開口部１５０のそれぞれは、熱膨脹係数の不適合を解消するために設定された直径を超過するフィラー６０をフィルタリングする機能を果たす。複数の開口部１５０のそれぞれは、球状のフィラー６０を所望するサイズに効率的にフィルタリングするための構造に形成される。
【００１８】
ここでは、図３をさらに参照して本発明の一実施例に係るフィルタ１００の開口部１５０を詳細に説明する。図３は、本発明の一実施例に係るフィルタの開口部の構造を示す平面図である。
【００１９】
図３を参照すると、開口部１５０は、互いに交差する第１開口領域１５１及び第２開口領域１５２を含む。ここで、第１開口領域１５１及び第２開口領域１５２のそれぞれは、一方向に延長される長孔形態に形成される。また、第１開口領域１５１及び第２開口領域１５２のそれぞれは、フィラー６０をフィルタリングするために設定された第１幅Ｗ１を有するように形成される。ここで、第１開口領域１５１及び第２開口領域１５２のそれぞれの第１幅Ｗ１は、熱膨脹係数の不適合を解消するために設定されたフィラー６０の直径に相応する。また、第１開口領域１５１及び第２開口領域１５２は、直交して形成される。すなわち、第１開口領域１５１と第２開口領域１５２との間の角度（θ）は、９０゜である。
【００２０】
ここで、第１開口領域１５１と第２開口領域１５２とが交差する交差地点の第２幅Ｗ２は、第１幅Ｗ１に相応するように形成される。具体的に、第１開口領域１５１と第２開口領域１５２との第１交差地点Ｐ１と第２交差地点Ｐ２は、第１幅Ｗ１に相応する第２幅Ｗ２だけ離隔している。ここで、第２幅Ｗ２は、第１交差地点Ｐ１と第２交差地点Ｐ２との間の距離である。また、第２幅Ｗ２は、第１幅Ｗ１よりも短い第１仮想線Ｌ１と第２仮想線Ｌ２とで形成される四角形の対角線の長さである。
【００２１】
第１開口領域１５１及び第２開口領域１５２のそれぞれは、図３に示すように、第２幅Ｗ２が第１幅Ｗ１に相応するように、第１交差地点Ｐ１及び第２交差地点Ｐ２が内側へ凹むように形成されることができる。第１交差地点Ｐ１及び第２交差地点Ｐ２が内側へ凹むように形成された第１開口領域１５１と第２開口領域１５２とは、交差する部分での設定された直径以上のフィラー６０をフィルタリングすることができる。
【００２２】
また、第１開口領域１５１及び第２開口領域１５２のそれぞれは、応力の集中することを防止するために端部が曲面に形成される。このような開口部１５０は、フィラー６０が通過する第１開口領域１５１及び第２開口領域１５２が、設定された幅以下に形成されて、フィルタリングの精密度を維持することができる。また、開口部１５０は、網方式の網目よりもフィラー６０とレジン７０とが通過する領域を広くしてフィルタリング時間を低減することができる。これにより、開口部１５０はフィルタリングの負荷を軽減することができる。
【００２３】
図４は、本発明の他の実施例に係るフィルタの開口部の構造を示す平面図である。ここでは、図３と同一の構成要素について簡略に説明する。図４を参照すると、開口部１５０は、互いに交差する第１開口領域１５１及び第２開口領域１５２を含む。
【００２４】
第１開口領域１５１及び第２開口領域１５２のそれぞれは、一方向に延長される長孔形態に形成される。また、第１開口領域１５１及び第２開口領域１５２のそれぞれは、フィラー６０のフィルタリングのために設定された第１幅Ｗ１を有するように形成される。また、第１開口領域１５１及び第２開口領域１５２は、直交して形成される。すなわち、第１開口領域１５１と第２開口領域１５２との間の角度（θ）は、９０゜である。
【００２５】
ここで、第１開口領域１５１及び第２開口領域１５２のそれぞれは、互いに接する地点である第１交差地点Ｐ１と第２交差地点Ｐ２との間の距離である第２幅Ｗ２が、第１幅Ｗ１に相応するように形成される。このとき、第２幅Ｗ２は、第１幅Ｗ１よりも短い第１仮想線Ｌ１と第２仮想線Ｌ２とで形成される四角形の対角線の長さである。このために、第１開口領域１５１及び第２開口領域１５２のそれぞれは、交差する部分が内側に湾曲して第１交差地点Ｐ１と第２交差地点Ｐ２とを形成する。また、第１開口領域１５１及び第２開口領域１５２のそれぞれは、応力の集中することを防止するために端部が曲面に形成される。
【００２６】
本発明の一実施例に係るフィルタは、開口部の開口領域が、設定された幅を有するように形成されることにより、フィルタリングの精密度を維持することができる。また、本発明の一実施例に係るフィルタは、網方式の網目よりも開口部の開口領域を広くして、フィルタリングの負荷を軽減し、フィルタリングの時間を低減することができる。
【００２７】
以上の説明は本発明の技術思想を例示的に説明したものに過ぎず、本発明が属する技術分野における通常の知識を有する者であれば、本発明の本質的な特性から逸脱脱しない範囲で多様な修正及び変形が可能である。従って、本発明に開示された実施形態は、本発明の技術思想を限定するためのものではなく、説明するためのものであり、このような実施形態によって本発明の技術思想の範囲が限定されるわけではない。
【００２８】
本発明の保護範囲は、添付の請求範囲によって解釈されなければならず、それと同等の範囲内にある全ての技術思想は、本発明の権利範囲に含まれるものと解釈されるべきである。
【符号の説明】
【００２９】
５０    管路
６０    フィラー
７０    レジン
１００  フィルタ
１１０  プレート
１５０  開口部
【図１】
2014091120.tif 000003
【図２】
2014091120.tif 000004
【図３】
2014091120.tif 000005
【図４】
2014091120.tif 000006